【手続補正書】
【提出日】平成15年9月8日(2003.9.8)
【手続補正１】
【補正対象書類名】明細書
【補正対象項目名】全文
【補正方法】変更
【補正の内容】
【発明の名称】モータ
【特許請求の範囲】
【請求項１】ハウジングと、前記ハウジングに相対的に回転自在に支持されたロータと、前記ロータの内面に装着されたロータマグネットと、前記ロータマグネットに対向して前記ハウジングに装着されたステータとを具備するモータにおいて、
前記ロータと前記ハウジングとの間には１個のラジアル軸受と１個のスラスト軸受片とが配設され、前記ラジアル軸受は前記ロータに作用するラジアル荷重を支持し、前記スラスト軸受片は前記ロータに作用するスラスト荷重を支持し、
前記ロータは、前記ラジアル軸受を介して回転自在に支持される回転軸を有し、
前記回転軸の一端部には、断面形状が円弧状である支持端部が設けられ、また前記スラスト軸受片の表面には前記回転軸の前記支持端部を支持するための、断面形状が円弧状の支持凹部が設けられており、
前記支持端部の曲率半径（Ｒ１）は、支持凹部の曲率半径（Ｒ２）よりも小さく設定されていることを特徴とするモータ。
【請求項２】前記ロータマグネットの磁気的中心は、前記ステータの磁気的中心を基準にして前記スラスト軸受片側とは反対側にずれており、これによって前記ロータには前記スラスト軸受片に向けて偏倚する磁気的偏倚力が作用することを特徴とする請求項１記載のモータ。
【請求項３】前記ラジアル軸受は玉軸受から構成され、前記ロータの前記回転軸は前記玉軸受の内輪に挿通され、前記ロータと前記玉軸受の内輪との間には、前記ラジアル軸受に予圧を付与するための予圧付与用ばねが介在され、前記回転軸の端部が前記ばねの付勢により前記スラスト軸受片に当接していることを特徴とする請求項１記載のモータ。
【請求項４】前記ロータはカップ状ロータ本体と該ロータ本体の端壁部に貫通固定された回転軸とを含み、前記ばねは玉軸受の内輪と前記端壁部との間に介在され、前記端壁部より前記玉軸受との反対方向に導出された前記回転軸の端部が前記スラスト軸受片に当接している請求項３記載のモータ。
【請求項５】前記ばねは、前記玉軸受に挿通された前記回転軸の先端部側において前記内輪と前記先端部に係止された抜け止めとの間に介在され、前記回転軸の先端部が前記スラスト軸受片に当接している請求項３記載のモータ。
【請求項６】前記玉軸受を保持する前記ハウジングには、前記玉軸受の外輪における前記ばねとの反対側の端面を保持する受け部が設けられている請求項４または請求項５記載のモータ。
【請求項７】前記ロータには、その外面に複数枚の羽根が設けられ、前記ハウジングには前記羽根により生じる空気流の吸気側および吐出側の開口が形成されている請求項１〜６のいずれかに記載のモータ。
【請求項８】前記ハウジングは、放熱するためのヒートシンク部を有していることを特徴とする請求項７記載のモータ。
【請求項９】前記ヒートシンク部は、複数個の冷却フィンを有し、前記ロータの回転によって生成される空気流は、前記複数個の冷却フィン間を通して流れることを特徴とする請求項８記載のモータ。
【発明の詳細な説明】
【０００１】
【発明の属する技術分野】
本発明は、複写機、レーザプリンタ、パーソナルコンピュータ等の電子機器の内部空間、またはこれらに用いられる電子部品等を冷却するためのファンモータ、複写機、レーザプリンタ等の搬送系を駆動するための駆動用ＤＣモータの如きモータに関する。
【０００２】
【従来の技術】
マイクロプロセッサ等の電子部品を冷却するために、ヒートシンク部を備えたファンモータが提案され実用に供されている。そして、この種のファンモータとして、たとえば、実開平７−３２９９６号公報に開示されたものが存在する。この公知のファンモータは、放熱のためのヒートシンク部を有するハウジングと、ハウジングに相対的に回転自在に支持されたロータとを備えている。ロータの外周面には複数枚の羽根が設けられ、またその内周面にはロータマグネットが装着されている。また、ロータマグネットに対向してステータが配設され、ステータがハウジングに装着されている。このようなファンモータにおいては、ハウジングのヒートシンク部が冷却すべき電子部品に取付けられる。そして、ロータが所定方向に回転駆動されると、回転駆動される羽根によってヒートシンク部を通る空気流が生成され、かかる空気流によってヒートシンク部、換言するとヒートシンク部が取付けられた電子部品が冷却される。
【０００３】
【発明が解決しようとする課題】
しかしながら、上述したファンモータには、次のとおりの解決すべき問題が存在する。従来のファンモータでは、ロータは回転軸を有し、この回転軸が、その軸線方向に間隔を置いて配設された一対の玉軸受を介してハウジングに回転自在に支持されている。それ故に、回転軸を支持するための一対の玉軸受に関連して、ファンモータ自体の全高が高くなるとともに、モータの製造コストも高価になる問題がある。特に、近年のノート型パソコンの小型化、薄型化の傾向においては、ファンモータの高い全高はその用途が著しく制限されるおそれがある。
【０００４】
このような問題は、複写機などの電子機器の内部空間を冷却するための軸流型ファンモータ、さらには複写機の搬送系などを駆動するためのＤＣモータにも存在し、この種のモータにおいても薄型化、製造コストの低減が望まれている。
【０００５】
本発明の目的は、全高（全幅）を低く抑えることができ、かつコストの低減を図ることができるモータを提供することである。
【０００６】
【課題を解決するための手段】
本発明は、ハウジングと、前記ハウジングに相対的に回転自在に支持されたロータと、前記ロータの内面に装着されたロータマグネットと、前記ロータマグネットに対向して前記ハウジングに装着されたステータとを具備するモータにおいて、
前記ロータと前記ハウジングとの間には１個のラジアル軸受と１個のスラスト軸受片とが配設され、前記ラジアル軸受は前記ロータに作用するラジアル荷重を支持し、前記スラスト軸受片は前記ロータに作用するスラスト荷重を支持し、
前記ロータは、前記ラジアル軸受を介して回転自在に支持される回転軸を有し、
前記回転軸の一端部には、断面形状が円弧状である支持端部が設けられ、また前記スラスト軸受片の表面には前記回転軸の前記支持端部を支持するための、断面形状が円弧状の支持凹部が設けられており、前記支持端部の曲率半径（Ｒ１）は、支持凹部の曲率半径（Ｒ２）よりも小さく設定されていることを特徴とするモータである。
【０００７】
本発明に従えば、ロータは１個のラジアル軸受と１個のスラスト軸受片によってハウジングに回転自在に支持され、ラジアル軸受はロータに作用するラジアル荷重を支持し、スラスト軸受片はロータに作用するスラスト荷重を支持する。このように１個のラジアル軸受と１個のスラスト軸受片によりロータを支持するので、一対のラジアル軸受を間隔を置いて配設する場合に比してモータの全高を低くまたは全幅を薄くすることができる。また、１個のラジアル軸受とスラスト軸受片しか用いないので、モータの製造コストも低減することができる。
また、ロータを構成する回転軸の一端部には、断面形状が円弧状である支持端部が設けられ、またスラスト軸受片の表面には回転軸の支持端部を支持するための、断面形状が円弧状の支持凹部が設けられており、且つ支持端部の曲率半径（Ｒ１）は、支持凹部の曲率半径（Ｒ２）よりも小さく設定することにより、回転軸とスラスト軸受片との接触部は、実質上点接触となり、したがってスラスト軸受片によって回転軸を回転自在に安定して支持することができる。
【０００８】
【発明の実施の形態】
以下、添付図面を参照してさらに詳述する。図１は、本発明に従うモータの一例としてのファンモータの第１の実施形態を示す断面図であり、図２は、図１のファンモータをモータ本体部とヒートシンク部とに分解して示す分解斜視図である。
【０００９】
図１および図２において、図示のファンモータは、モータ本体部２と、このモータ本体部２に装着されるヒートシンク部４とから構成されている。まず、モータ本体部２について説明すると、図示のモータ本体部２は合成樹脂製のモータハウジング６を備え、このモータハウジング６とヒートシンク部４がファンモータのハウジング７を構成する。このモータハウジング６は略矩形状のハウジング本体８を有し、ハウジング本体８の中央部には円形状の開口が形成されている。ハウジング本体８の開口には、円形状のモータ支持部１０が設けられ、このモータ支持部１０は複数（実施形態では４つ）の接続部１２を介してハウジング本体８に接続されている。このように構成されているので、図２に示すとおり、ハウジング本体８の内周面とモータ支持部１０の外周面との間には、空気が流れる開口１４が規定される。
【００１０】
主として図１を参照して、モータ支持部１０には円筒状の支持壁部１６が一体的に形成され、この支持壁部１６にロータ１８が回転自在に支持されている。ロータ１８はカップ状のロータ本体２０を備え、このロータ本体２０は端壁部２２と、この端壁部２２の外周縁から延びる周壁部２４を有している。端壁部２２には回転軸２６が固定され、この回転軸２６の一端側は、上記端壁部２２から図１において上方に延び、その他端側は、端壁部２２から図１において下方に延びている。この実施形態では、回転軸２６の一端部近傍は、ラジアル軸受を構成する１個の玉軸受２８を介して支持壁部１６に回転自在に支持され、この玉軸受２８は回転軸２６に作用するラジアル荷重を支持する。また、回転軸２６の他端部（支持端部として作用する）は、後述する如く、スラスト軸受片３０を介してヒートシンク部４に回転自在に支持され、このスラスト軸受片３０は回転軸２６に作用するスラスト荷重を支持する。この第１の実施形態では、支持壁部１６に段部３１が設けられ、この段部３１に当接するように玉軸受２８の外輪３３が接着剤によって固定されている。
【００１１】
ロータ１８の周壁部２４の外周面には、周方向に間隔を置いて複数枚の羽根３２が設けられ、その内周面には、環状ヨーク３４を介してロータマグネット３６が装着されている。また、ロータマグネット３６に対向してステータ３８が配設されている。ステータ３８は、ステータコア４０とこのステータコア４０に巻かれたコイル４２を有し、ステータコア４０がハウジング本体８の支持壁部１６の外周面に取付けられている。
【００１２】
次いで、主として図２を参照してヒートシンク部４について説明すると、図示のヒートシンク部４は、略矩形状のヒートシンク本体４４を有している。ヒートシンク本体４４の４角部には、それぞれ、連結壁部４６が設けられており、ヒートシンク本体４４の４側縁部における、これら連結壁部４４の間の部位には、それぞれ、図２において上方に延びる冷却フィン４８が多数設けられている。これら冷却フィン４８は、たとえば、側壁部に切込みを施すことによって形成することができる。ヒートシンク本体４４の中央部には、モータ本体２の回転軸２６に対応して、上記スラスト軸受片３０が装着されている。このスラスト軸受片３０は、たとえば、短円筒状に形成され、ヒートシンク本体４４に形成された円形状の凹部に接着剤等によって固定される。このスラスト軸受片３０は、合成樹脂材料、セラミック材料、耐摩耗金属材料または含油金属材料などから形成することができる。ヒートシンク部４は熱伝導性のよい材料、たとえばアルミニウムから形成される。
【００１３】
スラスト軸受片３０に関連して、次のとおりに構成するのが望ましい。図３を参照して、回転軸２６については、その他端部が略半球状に、換言するとその軸断面形状がスラスト軸受片３０に向けて突出する円弧状になるように形成される。また、スラスト軸受片３０については、その表面に回転軸２６を支持する支持凹部５０が設けられ、この支持凹部５０の支持面が略半球凹状に、換言するとその断面形状が内側に向けて円弧状になるように形成される。そして、回転軸２６の他端部の曲率半径Ｒ１がスラスト軸受片３０の支持凹部５０の曲率半径Ｒ２よりも小さく（Ｒ２＞Ｒ１）設定するのが望ましい。回転軸２６およびスラスト軸受片３０の曲率半径Ｒ１，Ｒ２をこのように設定することによって、回転軸２６とスラスト軸受片３０との接触部は、図３から理解されるとおり、実質上点接触となり、したがってスラスト軸受片３０によって回転軸２６を回転自在に安定して支持することができる。
【００１４】
モータ本体部２とヒートシンク部４とは、次のとおりにして組立てられる。再び図１および図２を参照して、ハウジング本体８の４角部には、ヒートシンク部４に向けて突出する連結突部５２が設けられており、各連結突部５２には受け凹部５４が形成されている。一方、ヒートシンク部４の各連結壁部４６の上端には、各受け凹部５４に対応して、モータ本体部２に向けて突出する突起５６が形成されている。したがって、ヒートシンク部４の各突起５６をモータ本体部２の受け凹部５４に挿入することによって、モータ本体部２とヒートシンク部４とが相互に着脱自在に装着される。
【００１５】
この実施形態では、モータ本体部２の回転軸２６がスラスト軸受片３０に向けて磁気的に偏倚されるように構成されている。すなわち、この実施形態では、図１に示すように、ステータ３０の軸線方向（図１において上下方向）における磁気的中心は軸線Ｌ１の位置に、またロータ１８におけるロータマグネット３６の軸線方向の磁気的中心は軸線Ｌ２の位置になるように構成されている。それ故に、ロータマグネット３６の磁気的中心は、ステータ３０の磁気的中心を基準にしてスラスト軸受片３０側とは反対側にずれて位置しており、したがってロータ１８には、ステータ３０とロータマグネット３６との磁気的作用によって、図１において下方への、換言するとスラスト軸受片３０に近接する方向への磁気的偏倚力が作用し、この磁気的偏倚力によって、玉軸受２８に予圧が付与されるとともに、回転軸２６は、スラスト軸受片３０に確実に支持される。
【００１６】
このようなファンモータは、図１に示すように、ヒートシンク部４のヒートシンク本体４４が、冷却すべき電子部品５８、たとえばマイクロプロセッサに取付けられ、その取付けは、両面テープ６０または接着剤を介して、または取付ねじを用いて直接取付けられる。電子部品５８に上記ファンモータを取付けると、電子部品５８からの熱はヒートシンク部４に伝達され、ヒートシンク部４を介して冷却される。この取付状態にて、モータ本体部２が付勢されてロータ１８が所定方向に回転駆動されると、複数の羽根３２の作用によって強制冷却のための空気流が生成される。この空気流は、周囲から多数の冷却フィン４８間を通ってファンモータ内部に流入し（冷却フィン４８間の空間が吸気側開口として作用する）、その後軸線方向に流れてハウジング本体８の開口１４から外部に流出し（開口１４が吐出側開口として作用する）、このような空気流が多数の冷却フィン４８間を通して、またヒートシンク本体４４の内面に沿って流れる間にヒートシンク部４からの放熱が行われ、これによって電子部品５８の冷却が行われる。
【００１７】
この実施形態のファンモータは、回転軸２６を支持する軸受構造に関連して、次のとおりの特徴を有する。すなわち、回転軸２６を１個の玉軸受２８とスラスト軸受片３０とによって回転自在に支持しているので、２個の玉軸受を用いる従来の形態のものに比してファンモータの全高を低く抑えることができ、特にノート型パソコンの如き内蔵スペースが制限された機器における電子部品の冷却に好都合に適用することができる。また、比較的高価な玉軸受２８を１個しか用いていないので、ファンモータの製造コストを低減することができる。
【００１８】
図４は、本発明に従うモータの一例としてのファンモータの第２の実施形態を示す断面図である。この第２の実施形態では、ロータがヒートシンク部に回転自在に支持されている。なお、図４の実施形態において、図１〜図３の実施形態と実質上同一のものについては同一の番号を付してその説明を省略する。
【００１９】
図４を参照して、この実施形態のファンモータにおけるハウジング１０１は、冷却すべき電子部品に取付けられるヒートシンク部１０２と、このヒートシンク部１０２に装着されるカバー１０４から構成されている。ヒートシンク部１０２は略矩形状のヒートシンク本体１０６を有し、このヒートシンク本体１０６にロータ１８が回転自在に支持されている。ヒートシンク本体１０６の中央部には、カバー１０４に向けて延びる支持壁部１０８が一体的に形成され、この支持壁部１０８に、ラジアル軸受を構成する１個の玉軸受２８を介してロータ１８の回転軸２６の一端部近傍が回転自在に支持されている。支持壁部１０８には段部１０９が設けられ、この段部１０９に当接するように玉軸受２８の外輪３３が接着剤により固定される。玉軸受２８は、回転軸２６に作用するラジアル荷重を支持する。ロータ１８の回転軸２６の他端部（支持端部として作用する）は、端壁部２２から図４において上方に延びている。このロータ１８は、図１〜図３に示すものと実質上同一の構成であるので、その詳細な説明は省略する。なお、ロータマグネット３６に対向して配設されるステータ３８のステータコア４０は、ヒートシンク部１０２の支持壁部１０８の外周面に取付けられる。
【００２０】
カバー１０４は、略矩形状のカバー本体１１０を有し、このカバー本体１１０の所定部位には、図１〜図２のハウジング本体８と同様に開口１１２が形成されている。また、カバー本体１１０の中央部には、ロータ１８の回転軸２６に対応してスラスト軸受片３０が取付けられ、このスラスト軸受片３０は、回転軸２６の他端部（支持端部を構成する）を回転自在に支持する。回転軸２６の他端部およびスラスト軸受片３０の構造は、図３で説明したとおりの構成でよく、回転軸２６に作用するスラスト荷重を支持する。
【００２１】
この形態でも、ロータ１８の回転軸２６がスラスト軸受片３０に向けて磁気的に偏倚されるように構成される。すなわち、ロータマグネット３６の磁気的中心は、ステータ３８の磁気的中心を基準にしてスラスト軸受片３０側とは反対側にずれて配置され、したがってロータ１８には、ステータ３８とロータマグネット３６との磁気的作用によって、図４において上方への、換言するとスラスト軸受片３０に近接する方向への磁気的偏倚力が作用する。
【００２２】
ヒートシンク部１０２とカバー１０４とは、図１〜図３のモータ本体部２とヒートシンク部４の取付構造と同様の構造であり、受け凹部１１４と突起１１６の組合せによって相互に着脱自在に装着される。かかるファンモータのその他の構成は、図１〜図３に示すものと実質上同一である。また、ヒートシンク部１０２には、図２に示すと同様に多数の冷却フィン（図示せず）が設けられる。
【００２３】
この形態のファンモータにおいても、ロータ１８が所定方向に回転駆動されると、ヒートシンク部１０２に設けられた多数の冷却フィン（図示せず）間を通して空気が流入し、この流入した空気はカバー１０４の開口１１２を通して外部に流出され、かかる空気流によってヒートシンク部１０２の放熱効果が高められ、これによって、これが取付けられた電子部品の冷却が行われる。また、回転軸２６をヒートシンク部１０２とロータ１８との間に介在された１個の玉軸受２８と、ロータ１８とカバー１０４との間に介在されたスラスト軸受片３０とによって回転自在に支持しているので、図１〜図３のものと同様に、ファンモータの全高を低く抑えることができ、上述したと同様の作用効果が達成される。
【００２４】
図５は、本発明に従うモータの一例としてのファンモータの第３の実施形態を示す断面図である。第３の実施形態では、図１〜図３に示す第１の実施形態と対比して玉軸受に予圧を付与する予圧付与構造が相違している。なお、図５において、第１の実施形態と実質上同一のものについては同一の番号を付してその説明を省略する。
【００２５】
図５を参照して、第３の実施形態では、モータ本体部２のハウジング本体８の支持壁部１６には受け部として作用する段部２０２が設けられ、支持壁部１６の基部側（図５において上側）の内径は先端部側の内径よりも小径に形成されている。そして、ラジアル軸受を構成する玉軸受２８の外輪３３は、この支持壁部１６の先端部側に上記段部２０２に当接するように接着剤によって固定される。またロータ１８のロータ本体２０に固定された回転軸２６は、ハウジング本体８の支持壁部１６に固定された玉軸受２８の内輪３５に軸線方向に移動可能に挿通されるとともに、玉軸受２８を介して回転自在にハウジング本体８に支持されている。
【００２６】
この実施形態では、玉軸受２８に予圧を付与するために予圧付与用ばね２０８が用いられている。このばね２０８は一端部の外径が他端部の外径よりも大きいコイルばねから構成され、ばね２０８の一端部がロータ１８の端壁部２２の内面（図５において上側面）に当接され、その他端部が玉軸受２８の内輪３５の端面に当接されている。このように予圧付与用ばね２０８を介在させることによって、玉軸受２８の内輪３５はこのばね２０８の作用によって図５において上方に弾性的に偏倚され、これによって玉軸受２８に予圧が付与される。また、この予圧付与用ばね２０８は、ロータ１８の端壁部２２に作用して図５において下方に弾性的に偏倚し、これによって回転軸２６の一端部（支持端部として作用する）はスラスト軸受片３０に弾性的に圧接される。第３の実施形態のその他の構成は、上記第１の実施形態と実質上同一である。
【００２７】
第３の実施形態のファンモータでは、１個の玉軸受２８と１個のスラスト軸受片３０によって回転軸２６を支持する基本的構成が第１の実施形態のものと実質上同一であるので、第１の実施形態と同一の作用効果が達成される。また、予圧付与用ばね２０８を用いているので、このばね２０８によって、玉軸受２８に所望のとおりに予圧を付与することができ、またロータ１８の回転軸２６の一端部とスラスト軸受片３０とを弾性状態的に保持することができる。なお、予圧付与用ばね２０８として、コイルばねに代えて、たとえば皿状ばね等の他のばねを用いることもできる。
【００２８】
図６は、本発明に従うモータの一例としてのファンモータの第４の実施形態を示す断面図である。第４の実施形態では、図４に示す第２の実施形態のものと対比して玉軸受に予圧を付与する予圧付与構造およびそれに関連する構成が相違している。なお、図６において、第２の実施形態と実質上同一のものについては同一の番号を付してその説明を省略する。
【００２９】
図６を参照して、第４の実施形態では、ファンモータにおけるハウジング３０２は、ヒートシンク部３０４とこのヒートシンク部３０４に取付けられる蓋体３０５から構成されている。このヒートシンク部３０４は矩形状のヒートシンク本体３０６を有し、このヒートシンク本体３０６の中央部には上方に向けて延びる支持壁部３０８が一体的に設けられ、ヒートシンク本体３０６の周側部には、第１の実施形態と同様に、複数個の冷却フィン３０７が設けられている。また、シートシンク本体３０６の支持壁部３０８の先端部には半径方向内方に突出する環状突部３１０（受け部として作用する）が設けられている。ラジアル軸受を構成する玉軸受２８の外輪３３は、この支持壁部３０８に上記環状突部３１０に当接するように接着剤によって固定される。またロータ１８のロータ本体２０に固定された回転軸２６は、ヒートシンク本体３０６の支持壁部３０８に固定された玉軸受２８の内輪３５に軸線方向に移動可能に挿通されるとともに、玉軸受２８を介して回転自在にヒートシンク本体３０６に支持されている。
【００３０】
この第４実施形態では、玉軸受２８に予圧を付与するために、第３の実施形態と同様に、予圧付与用ばね３１２が用いられている。このばね３１２は外形が円筒状のコイルばねから構成され、ばね３１２の一端部が回転軸２６に係止された係止部材３１４（抜け止めとして作用する）に当接され、その他端部が玉軸受２８の内輪３５の端面に当接されている。このように予圧付与用ばね３１２を介在させることによって、玉軸受２８の内輪３５はこのばね３１２の作用によって図６において上方に弾性的に偏倚され、これによって玉軸受２８に予圧が付与される。
【００３１】
第４の実施形態では、ロータ１８が上述したように支持されることに関連して、ヒートシンク本体３０６の支持壁部３０８の基部には円板状の蓋体３０５が接着剤によって固定され、この蓋体３０５の内面にスラスト軸受片３０が装着され、回転軸２６の一端部（支持端部として作用する）は、このスラスト軸受片３０に支持されている。予圧付与用ばね３１２は、また、係止部材３１４を介して回転軸２６を図６において下方に弾性的に偏倚し、これによって回転軸２６の一端部（支持端部として作用する）は蓋体３０５に装着されたスラスト軸受片３０に弾性的に圧接される。このように構成することによって、第２の実施形態におけるカバー１０４を省略することができ、ファンモータの全高をさらに低減することができる。第４の実施形態のその他の構成は、上記第２の実施形態と実質上同一である。
【００３２】
第４の実施形態のファンモータでは、１個の玉軸受２８と１個のスラスト軸受片３０とによって回転軸２６を支持する基本的構成が第２の実施形態のものと実質上同一であるので、第２の実施形態と同一の作用効果が達成される。また、予圧付与用ばね３１２を用いているので、このばね３１２によって、玉軸受２８に所望のとおりに予圧を付与することができ、またロータ１８の回転軸２６の一端部とスラスト軸受片３０とを弾性状態的に保持することができる。
【００３３】
図７は、本発明に従うモータの一例としてのファンモータの第５の実施形態を示す断面図である。第５の実施形態では、本発明を軸流型ファンモータに適用している。なお、第５の実施形態の基本的構成は、図５に示す第３の実施形態と実質上同一であり、したがって同一の構成要素には同一の番号を付してその説明を省略する。
【００３４】
図７を参照して、図示のファンモータはモータハウジング４０２を備え、このモータハウジング４０２は略矩形状の支持端壁部４０４と、この支持端壁部４０４の周縁部から延びる側壁部４０６とを有し、側壁部４０６に断面が円形状である空気流路４０８が形成されている。モータハウジング４０２の側壁部４０６の開口部には、カバー４１０が設けられ、このモータハウジング４０２とカバー４１０とがファンモータのハウジング４１２を構成し、これらはたとえば合成樹脂から形成される。
【００３５】
モータハウジング４０２の支持端壁部４０４の中央部には円形状の開口が形成され、この開口に円形状のモータ支持部４１６が設けられ、モータ支持部４１６は複数（図示の実施形態では３つ）の接続部４１８を介して支持端壁部４０４に接続されている。このように構成されているので、支持端壁部４０４の内周面とモータ支持部４１６の外周面との間に、空気が流れる開口４１４が形成される。
【００３６】
モータ支持部４１６には支持壁部４２０が設けられ、この支持壁部４２０に、ラジアル軸受を構成する１個の玉軸受２８を介してロータ１８の回転軸２６が回転自在に支持されている。支持壁部４２０の基部には受け部として作用する段部４２２が設けられ、玉軸受２８は、その外輪３３が上記段部４２２に当接するように接着剤によって固定される。ロータ１８は、モータハウジング４０２の側壁部４０６の内側に配置され、その構成は図５に示す実施形態と実質上同一である。
【００３７】
図示のカバー４１０は、モータハウジング４０２の外形に対応した略矩形状のカバー本体４２３を有し、このカバー本体４２３の大部分には、モータハウジング４０２の空気流路４０８に対応して円形状の開口が形成されている。この開口の中央部には、円形状の支持部４２４が設けられ、支持部４２４は複数（たとえば３個）の接続部４２６を介してカバー本体４２３に接続されている。このように構成されているので、カバー本体４２３の内周面と支持部４２４の外周面との間に、空気が流れる開口４２８が形成される。
【００３８】
カバー４１０の支持部４２４の内面には、スラスト軸受片３０が装着されている。スラスト軸受片３０は、ロータ１８の回転軸２６に対応して配設され、この回転軸２６の一端部（支持端部として作用する）を支持する。
【００３９】
第５の実施形態では、玉軸受２８に予圧を付与するために予圧付与用ばね４３０が用いられている。このばね４３０の構成およびその装着構造は図５に示す第３の実施形態と実質上同一であり、したがって、このばね４３０の作用によって玉軸受２８に予圧が付与されるとともに、ロータ１８の回転軸２６の一端部がスラスト軸受片３０に弾性的に圧接保持される。第５の実施形態のその他の構成は、上記第３の実施形態と実質上同一である。
【００４０】
第５の実施形態のファンモータにおいて、ロータ１８が所定方向に回動されると、ロータ本体２０に設けられた複数の羽根３２によってモータハウジング４０２の軸線方向（図７において上方）に流れる空気流が生成され、これによってカバー４１０の開口４２８（吸気側開口として作用する）を通して流入した空気がモータハウジング４０２の開口４１４（吐出側開口として作用する）を通して外部に排出される。このようなファンモータは、たとえば複写機ハウジングに取付けられ、生成する空気流によって複写機ハウジング内の温度上昇した空気が外部に排出され、これによって複写機ハウジング内の冷却が行われる。また、１個の玉軸受２８と１個のスラスト軸受片３０によって回転軸２６を支持する基本的構成、また予圧付与用ばね４３０を用いる予圧付与構造が第３の実施形態のものと実質上同一であるので、第３の実施形態と同一の作用効果が達成され、ファンモータの全幅、すなわち図７において上下方向のサイズを薄くすることができる。
【００４１】
図８は、本発明に従うファンモータの第６の実施形態を示す断面図である。第６の実施形態では、第５の実施形態と同様に、本発明を軸流型ファンモータに適用している。なお、第６の実施形態の基本的構成は、図６に示す第４の実施形態と実質上同一であり、したがって実質上同一の構成要素には同一の番号を付してその説明を省略する。
【００４２】
図８を参照して、図示のファンモータはモータハウジング５０２を備え、このモータハウジング５０２に蓋体５０４が取付けられ、モータハウジング５０２および蓋体５０４がファンモータのハウジング５０６を構成している。モータハウジング５０２は矩形状の支持端壁部５０８と、この支持端壁部５０８の周縁部から延びる側壁部５１０とを有し、側壁部５１０に断面が円形状である空気流路５１２が形成されている。支持端壁部５０８の大部分には空気流路５１２に対応して円形状の開口が形成され、この開口の中央部にはモータ支持部５１３が設けられ、このモータ支持部５１３が複数（たとえば３個）の接続部５１５を介して支持端壁部５０８に接続され、端壁支持部５０８の内周面とモータ支持部５１３の外周面との間に、空気が流れる開口５１７が形成されている。
【００４３】
モータ支持部５１３には上方に向けて延びる支持壁部５１４が一体的に設けられ、この支持壁部５１４の先端部には半径方向内方に突出する環状突部５１６（受け部として作用する）が設けられている。ラジアル軸受を構成する玉軸受２８の外輪３３は、上記環状突部５１６に当接するように支持壁部５１４の内周面に接着剤によって固定される。またロータ１８のロータ本体２０に固定された回転軸２６は、この玉軸受２８の内輪３５に軸線方向に移動可能に挿通されるとともに、玉軸受２８を介して回転自在にモータ支持部５１３に支持されている。
【００４４】
蓋体５０４は、ハウジング５０６の支持壁部５１４の基部に接着剤によって固定され、この蓋体５０４の内面にスラスト軸受片３０が装着され、回転軸２６の一端部（支持端部として作用する）は、このスラスト軸受片３０に支持されている。また、玉軸受２８の内輪３５と回転軸２６に係止された係止部材５２０（抜け止めとして作用する）との間には、玉軸受２８に予圧を付与するための予圧付与用ばね５２２が介在されている。この第６の実施形態のロータ１８の構造、玉軸受２８およびスラスト軸受片３０の支持構造および予圧付与用ばね５２２による予圧付与構造は、図６に示す第４の実施形態と実質上同一である。
【００４５】
第６の実施形態のファンモータにおいて、ロータ１８が所定方向に回動されると、ロータ本体２０に設けられた複数の羽根３２によってモータハウジング５０２の軸線方向（図８において下方）に流れる空気流が生成され、これによってモータハウジング５０２の空気流路５１２を流れる空気は、その開口５１７を通して外部に排出され、かかる空気流によってたとえば複写機等の電子機器の内部空間を冷却することができる。また、１個の玉軸受２８と１個のスラスト軸受片３０によって回転軸２６を支持する基本的構成、また予圧付与用ばね５２２を用いる予圧付与構造が第４の実施形態のものと実質上同一であるので、第４の実施形態と同一の作用効果が達成される。
【００４６】
以上、本発明に従うファンモータの種々の実施形態について説明したが、本発明はこれら実施形態に限定されるものではなく、本発明の範囲を逸脱することなく種々の変形、修正が可能である。
【００４７】
たとえば、上述した実施形態では、ラジアル軸受として玉軸受を使用したが、これに限定されず、スリーブ軸受等のすべり軸受を用いることもできる。スリーブ軸受としては、スラスト軸受片と同様に、合成樹脂材料、セラミック材料、耐摩耗金属材料または含油金属材料等から形成することができる。なお、ラジアル軸受として玉軸受を用いた場合、軸受の信頼性を高め、その寿命を長くすることができる。
【００４８】
また、ヒートシンク部を有する上記実施形態では、ロータの回転によって生じる空気流を、周囲から冷却フィン間を通してファンモータ内部に導入し、その後軸線方向に流してハウジング本体の開口を通して外部に排出しているが、これとは反対に、ハウジング本体の開口から外部空気を軸線方向に導入し、その後冷却フィン間を通して外部に排出するようにすることもできる。
【００４９】
また、ヒートシンク部を有する上記実施形態では、ヒートシンク部とファンハウジングまたはカバーとの連結を突起と受け凹部との組合せによって行っているが、これに限定されず、連結用ねじ、フック等の他の手段を用いて行うようにすることもできる。
【００５０】
さらに、上述した実施形態では、本発明をモータの一例としてのファンモータに適用して説明したが、ＤＣモータなどの他の形態のモータに広く適用することができる。
【００５１】
【発明の効果】
本発明の請求項１記載のモータによれば、ロータは１個のラジアル軸受と１個のスラスト軸受片によってハウジングに回転自在に支持され、ラジアル軸受はロータに作用するラジアル荷重を支持し、スラスト軸受片はロータに作用するスラスト荷重を支持する。このように１個のラジアル軸受と１個のスラスト軸受片によりロータを支持するので、一対のラジアル軸受を間隔を置いて配設する場合に比してモータの全高を低くまたは全幅を薄くすることができる。また、１個のラジアル軸受とスラスト軸受片しか用いないので、モータの製造コストも低減することができる。
また、ロータを構成する回転軸の一端部には、断面形状が円弧状である支持端部が設けられ、またスラスト軸受片の表面には回転軸の支持端部を支持するための、断面形状が円弧状の支持凹部が設けられており、且つ支持端部の曲率半径（Ｒ１）は、支持凹部の曲率半径（Ｒ２）よりも小さく設定することにより、回転軸とスラスト軸受片との接触部は、実質上点接触となり、したがってスラスト軸受片によって回転軸を回転自在に安定して支持することができる。
【００５２】
また本発明の請求項２記載のモータによれば、ロータマグネットの磁気的中心は、ステータの磁気的中心を基準としてスラスト軸受片側とは反対側にずれているので、ロータにはスラスト軸受片に向かう磁気的偏倚力が作用し、この磁気的偏倚力によってロータはスラスト軸受片に確実に支持される。
【００５３】
また本発明の請求項３記載のファンモータによれば、ラジアル軸受は玉軸受から構成され、ロータと玉軸受の内輪との間に予圧付与用ばねが介在されている。したがって、予圧付与用ばねによってロータの回転軸の端部がスラスト軸受片に当接し、玉軸受に予圧を付与することができるとともに、回転軸をスラスト軸受片に確実に当接することができる。
【００５４】
また本発明の請求項４記載のモータによれば、カップ状ロータ本体の端壁部と玉軸受の内輪との間に予圧付与用ばねが介在されているので、回転軸における、上記端壁部より玉軸受の反対側に突出する端部がスラスト軸受片に当接し、これによって回転軸の上記端部をスラスト軸受片に確実に当接することができる。
【００５５】
また本発明の請求項５記載のモータによれば、ロータの回転軸の先端部に係止された抜け止めと玉軸受の内輪との間に予圧付与用ばねが介在されているので、回転軸の先端部がスラスト軸受片に当接し、これによって回転軸の先端部をスラスト軸受片に確実に当接することができる。
【００５６】
また本発明の請求項６記載のモータによれば、ハウジングに受け部が設けられているので、玉軸受における、予圧付与用ばねと反対側の端面がこの受け部に保持され、これによって玉軸受を所定の位置に確実に保持することができる。
【００５７】
また本発明の請求項７記載のモータによれば、ロータの外面に複数枚の羽根が設けられているので、冷却用ファンモータとして用いることができる。
【００５８】
また本発明の請求項８記載のモータによれば、ハウジングはヒートシンク部を有しているので、電子部品単体を冷却するためのモータとして用いることができる。
【００５９】
さらに、本発明の請求項９記載のモータによれば、ヒートシンク部は複数個の冷却フィンを有しているので、ヒートシンク部の冷却効果を高めることができる。
【図面の簡単な説明】
【図１】本発明に従うモータの一例としてのファンモータの第１の実施形態を示す断面図である。
【図２】図１のファンモータをモータ本体部とヒートシンク部とに分解して示す斜視図である。
【図３】図１のファンモータにおけるスラスト軸受片およびその近傍を拡大して示す部分拡大断面図である。
【図４】ファンモータの第２の実施形態を示す断面図である。
【図５】ファンモータの第３の実施形態を示す断面図である。
【図６】ファンモータの第４の実施形態を示す断面図である。
【図７】ファンモータの第５の実施形態を示す断面図である。
【図８】ファンモータの第６の実施形態を示す断面図である。
【符号の説明】
２，モータ本体部
４，１０２，３０４  ヒートシンク部
７，１０１，３０２，４１２，５０６  ハウジング
１８  ロータ
２６  回転軸
２８  玉軸受
３０  スラスト軸受片
３２  羽根
３３  外輪
３５  内輪
３６  ロータマグネット
３８  ステータ
４４，１０６，３０６  ヒートシンク本体
４８  冷却フィン
５０  支持凹部
１０４  カバー
２０８，３１２，４３０，５２２  予圧付与用ばね
３０５，５０４  蓋体


【手続補正２】
【補正対象書類名】図面
【補正対象項目名】図４
【補正方法】変更
【補正の内容】
【図４】
1999075340.tif 000001
【手続補正３】
【補正対象書類名】図面
【補正対象項目名】図５
【補正方法】変更
【補正の内容】
【図５】
1999075340.tif 000002